(57)【特許請求の範囲】
【請求項１】
所定の撮影装置により撮影されたユーザの顔画像が含まれる画像データを取得する画像データ取得手段と、
前記ユーザの顔特徴情報を記憶した認証装置に対して、前記画像データについて顔認証を行わせる認証制御手段と、
前記顔認証に成功した場合、前記ユーザの防疫策に関する証明情報を記憶する記憶装置から前記顔認証にかかる前記ユーザの前記証明情報を取得する証明情報取得手段と、
前記ユーザに紐付けられた前記証明情報に基づいて前記ユーザの通行を許可するか否かを判定する判定手段と、
前記判定の結果を前記撮影装置に対応する所定の端末装置に出力する出力手段と、を備える
通行許可装置。
【請求項２】
前記証明情報取得手段は、前記証明情報に含まれる抗体証明またはワクチン接種証明にかかる有効期間の情報である有効期間情報を併せて取得し
前記判定手段は、前記有効期間情報に基づいて前記ユーザの通行を許可するか否かを判定する
請求項１に記載の通行許可装置。
【請求項３】
前記判定手段は、前記有効期間が予め設定された期間より短い場合に、前記有効期間に関する警告を通知することを判定し、
前記出力手段は、前記判定の結果とともに、前記警告を出力する
請求項２に記載の通行許可装置。
【請求項４】
前記出力手段は、前記警告として、前記警告にかかるワクチン接種を促す警告を出力する
請求項３に記載の通行許可装置。
【請求項５】
前記端末装置から前記判定の条件を受け付ける条件設定部をさらに備え、
前記判定手段は、設定された前記条件と前記証明情報に基づいて前記ユーザの通行を許可するか否かを判定する
請求項１〜４のいずれか一項に記載の通行許可装置。
【請求項６】
前記証明情報取得手段は、医療機関が生成した前記証明情報を取得する
請求項１〜５のいずれか一項に記載の通行許可装置。
【請求項７】
前記証明情報取得手段は、前記証明情報に加えて前記ユーザの行動履歴に関する情報である行動履歴情報を併せて取得し、
前記判定手段は、前記行動履歴と前記証明情報とに基づいて前記判定をする
請求項１〜６のいずれか一項に記載の通行許可装置。
【請求項８】
請求項１〜７のいずれか一項に記載の通行許可装置と、
前記ユーザと前記ユーザの証明情報とを紐付けて記憶する記憶装置と、
を備える
通行許可システム。
【請求項９】
請求項１〜７のいずれか一項に記載の通行許可装置と、
前記通行許可装置から前記画像データを受け取って前記顔認証を行う前記認証装置と、を備える
通行許可システム。
【請求項１０】
前記出力手段から前記判定の結果を受け取り、前記判定の結果に応じて前記ユーザの通行路に配置されたゲートを開閉するゲート開閉装置をさらに備える
請求項８または９に記載の通行許可システム。
【請求項１１】
コンピュータが、
所定の撮影装置により撮影されたユーザの顔画像が含まれる画像データを取得し、
前記ユーザの顔特徴情報を記憶した認証装置に対して、前記画像データについて顔認証を行わせ、
前記顔認証に成功した場合、前記ユーザの防疫策に関する証明情報を記憶する記憶装置から前記顔認証にかかる前記ユーザの前記証明情報を取得し、
前記ユーザに紐付けられた前記証明情報に基づいて前記ユーザの通行を許可するか否かを判定し、
前記判定の結果を出力する、
通行許可方法。
【請求項１２】
所定の撮影装置により撮影されたユーザの顔画像が含まれる画像データを取得する処理と、
前記ユーザの顔特徴情報を記憶した認証装置に対して、前記画像データについて顔認証を行わせる処理と、
前記顔認証に成功した場合、前記ユーザの防疫策に関する証明情報を記憶する記憶装置から前記顔認証にかかる前記ユーザの前記証明情報を取得する処理と、
前記ユーザに紐付けられた前記証明情報に基づいて前記ユーザの通行を許可するか否かを判定する処理と、
前記判定の結果を出力する処理と、
を、コンピュータに実行させる通行許可プログラム。
【発明の詳細な説明】
【技術分野】
【０００１】
本発明は通行許可装置、システム、方法及びプログラムに関する。
【背景技術】
【０００２】
感染症に対して有効な免疫を有しているかどうかを知ることは、社会生活における人々の行動制限の範囲を特定する上で重要な要素である。そのためワクチン接種証明などを知る手段が求められている。【０００３】
例えば特許文献１に記載のシステムは、ＩＣカード化された診察券と、ＩＣカード読み取り機と、情報を処理するパソコンとを有している。ＩＣカード化された診察券は、患者カルテ番号やワクチン接種状況等が入力されている。
【先行技術文献】
【特許文献】
【０００４】
【特許文献１】特開２０００−０９９５８９号公報
【発明の概要】
【発明が解決しようとする課題】
【０００５】
上述の技術によれば、ＩＣカードを読み取ることにより、ユーザを行動制限の対象とすべきか否かを判定できる。しかしながら、上述の技術では、ＩＣカードを読み取るために、感染症に感染している可能性があるユーザと接触しなければならない。またＩＣカードを所持していないユーザに対しては行動制限をかけるべきか否かを判定できない。【０００６】
本開示はこのような問題点を解決するためになされたものであり、認証対象者との接触を抑制しつつ所望の通行許可の判定を行うための通行許可装置、システム、方法及びプログラムを提供することを目的とする。
【課題を解決するための手段】
【０００７】
本開示の１実施形態にかかる通行許可装置は、画像データ取得手段、認証制御手段、証明情報取得手段、判定手段および出力手段を有している。画像データ取得手段は、所定の撮影装置により撮影されたユーザの顔画像が含まれる画像データを取得する。認証制御手段は、ユーザの顔特徴情報を記憶した認証装置に対して、画像データについて顔認証を行わせる。証明情報取得手段は、顔認証に成功した場合、ユーザの防疫策に関する証明情報を記憶する記憶装置から顔認証にかかるユーザの証明情報を取得する。判定手段は、ユーザに紐付けられた証明情報に基づいてユーザの通行を許可するか否かを判定する。出力手段は、判定の結果を撮影装置に対応する所定の端末装置に出力する。【０００８】
本開示の１実施形態にかかる通行許可方法は、コンピュータが、以下の方法を実行する。コンピュータは、所定の撮影装置により撮影されたユーザの顔画像が含まれる画像データを取得する。コンピュータは、ユーザの顔特徴情報を記憶した認証装置に対して、画像データについて顔認証を行わせる。コンピュータは、顔認証に成功した場合、ユーザの防疫策に関する証明情報を記憶する記憶装置から顔認証にかかるユーザの証明情報を取得する。コンピュータは、ユーザに紐付けられた証明情報に基づいてユーザの通行を許可するか否かを判定する。コンピュータは、判定の結果を出力する。【０００９】
本開示の１実施形態にかかるプログラムは、コンピュータに以下の処理を実行させる。コンピュータは、所定の撮影装置により撮影されたユーザの顔画像が含まれる画像データを取得する。コンピュータは、ユーザの顔特徴情報を記憶した認証装置に対して、画像データについて顔認証を行わせる。コンピュータは、顔認証に成功した場合、ユーザの防疫策に関する証明情報を記憶する記憶装置から顔認証にかかるユーザの証明情報を取得する。コンピュータは、ユーザに紐付けられた証明情報に基づいてユーザの通行を許可するか否かを判定する。コンピュータは、判定の結果を出力する。
【発明の効果】
【００１０】
本開示によれば、認証対象者との接触を抑制しつつ所望の通行許可の判定を行うための通行許可装置、システム、方法及びプログラムを提供することができる。
【図面の簡単な説明】
【００１１】
【図１】実施形態１に係る通行許可装置の構成を示すブロック図である。
【図２】実施形態１に係る通行許可方法を示すフローチャートである。
【図３】実施形態２に係る通行許可方法を示すフローチャートである。
【図４】実施形態３に係る通行許可装置の構成を示すブロック図である。
【図５】実施形態３に係る通行許可方法を示すフローチャートである。
【図６】実施形態４に係る通行許可システムの構成を示すブロック図である。
【図７】認証装置の構成を示すブロック図である。
【図８】顔特徴情報登録処理の流れを示すフローチャートである。
【図９】顔認証処理の流れを示すフローチャートである。
【図１０】端末装置の構成を示すブロック図である。
【図１１】ユーザ端末の構成を示すブロック図である。
【図１２】通行許可装置の構成を示すブロック図である。
【図１３】端末装置に表示される画面の例を示す図である。
【発明を実施するための形態】
【００１２】
以下では、本開示の実施形態について、図面を参照しながら詳細に説明する。各図面において、同一又は対応する要素には同一の符号が付されており、説明の明確化のため、必要に応じて重複説明は省略される。
【００１３】
＜実施形態１＞
図１を参照して通行許可装置の構成について説明する。図１は、実施形態１に係る通行許可装置１０の構成を示すブロック図である。通行許可装置１０は、所定の施設を利用するユーザに対して顔認証を行うことにより、かかるユーザに対して施設の入出等の通行許可を行うための装置である。所定の施設とは例えば商業施設、劇場、空港、駅、学校、オフィスビル、病院、入出国管理施設などである。通行許可装置１０は、通信ネットワーク（以降、通信ネットワークを単にネットワークとも称する）に接続し、接続するネットワークを介して外部の装置と種々の通信を行う。
【００１４】
具体的には、通行許可装置１０は、ネットワークを介して撮影装置、認証装置、記憶装置および端末装置に接続する。撮影装置は、ユーザの顔を撮影し、撮影した画像の画像データを通行許可装置１０に供給する。認証装置は、通行許可装置１０から画像データを受け取り、受け取った画像データにかかる顔認証を行う。記憶装置は、ユーザの証明情報を記憶し、通行許可装置１０に対して顔認証にかかるユーザ証明情報を提供する。
【００１５】
端末装置は通行許可装置１０から顔認証にかかるユーザの通行許可または不許可に関する判定の結果を受け取り、受け取った判定結果を表示する。なお、ネットワークは、有線か無線であるかを問わないし、通信プロトコルの種別を問わない。通行許可装置１０は主な構成として、画像データ取得部１１０、認証制御部１１１、証明情報取得部１１２、判定部１１３および出力部１１４を有する。
【００１６】
画像データ取得部１１０は、所定の撮影装置により撮影されたユーザの顔画像が含まれる画像データを取得する。認証制御部１１１は、ユーザの顔特徴情報を記憶した認証装置に対して、画像データについて顔認証を行わせる。また認証制御部１１１は、認証装置から顔認証の結果を受け取る。認証制御部１１１は、認証装置から、顔認証に成功したことを示す信号とともに、認証にかかるユーザの認証ＩＤを受け取る。認証制御部１１１は、認証にかかるユーザの認証ＩＤを受け取ると、受け取った情報を、証明情報取得部１１２に供給する。
【００１７】
証明情報取得部１１２は、顔認証に成功した場合、ユーザの証明情報を記憶する記憶装置から顔認証にかかるユーザの証明情報を取得する。より具体的には、証明情報取得部１１２は、成功した顔認証にかかるユーザの認証ＩＤを受け取ると、受け取った認証IDに紐づいた証明情報を取得する。証明情報取得部１１２は、認証にかかるユーザの証明情報を取得すると、取得した証明情報を判定部１１３に供給する。
【００１８】
ユーザの証明情報は、ユーザが所定の感染症に対する防疫策を講じていることを示す情報である。より具体的には、証明情報は、例えば、ユーザが所定の感染症に対する抗体を有することを示す情報（抗体証明）、ユーザが所定の感染症に対するワクチン接種を受けたことを示す情報（ワクチン接種証明）などが含まれる。また証明情報は、ユーザが所定の感染症に対する抗体を有していないことを示す情報や、ユーザが所定の感染症に対するワクチン接種を受けていないことを示す情報が含まれていてもよい。ユーザの証明情報は、ユーザの氏名、国籍、性別、住所などのプロファイル情報が含まれていてもよい。ユーザの証明情報は、例えば抗体検査やワクチン接種を行う医療機関等が登録する。なお、ユーザの証明情報は、ユーザ自身が登録するものであってもよい。
【００１９】
証明情報は、上述の情報に代えて、ユーザが講じている防疫策として、例えば所定のウイルスに対する陰性証明を含むものであってもよい。陰性証明は、例えばポリメラーゼ連鎖反応検査（ＰＣＲ検査、ＰＣＲ=Polymerase Chain Reaction）が陰性であったことを証明する情報である。
【００２０】
また証明情報は、ユーザが講じている防疫策として、抗体証明、ワクチン接種証明または陰性証明に加えて、将来の行動計画情報（以降、将来の行動計画情報を単に行動計画情報とも称する）を含むものであってもよい。行動計画情報は、予め設定された期間におけるユーザが計画している移動先、宿泊先、滞在先および訪問先などを含む情報である。
【００２１】
判定部１１３は、認証にかかるユーザに紐付けられた証明情報に基づいてユーザの通行を許可するか否かを判定する。例えば判定部１１３は、証明情報に抗体証明が含まれている場合には、ユーザの通行を許可することを判定する。また例えば判定部１１３は、証明情報に抗体証明が含まれていない場合には、ユーザの通行を許可しないことを判定する。また判定部１１３は、証明情報に陰性情報が含まれている場合に、ユーザの通行を許可することを判定してもよい。判定部１１３は、証明情報に行動計画情報が含まれている場合に、ユーザの通行を許可することを判定してもよい。
【００２２】
判定部１１３は、予め設定された判定基準により、上述の証明情報からユーザの通行を許可することを判定する。予め設定された判定基準は、所定の防疫策に沿って設定される。そのため、例えば、上述の行動計画情報に含まれるユーザの行動計画が上記判定基準を満たしていない場合には、判定部１１３は、ユーザの通行を許可しない。判定部１１３は、判定の結果を出力部１１４に供給する。
【００２３】
出力部１１４は、判定部１１３から受け取った判定の結果を上記撮影装置に対応する所定の端末装置に出力する。撮影装置に対応するとは、例えば、撮影装置と端末装置とが一体となっている場合である。また撮影装置に対応するとは、例えば、撮影装置と端末装置とが同じ施設内に設けられる場合、撮影装置と端末装置とを管理する管理者が同一の場合、または撮影装置を管理する管理者と端末装置を管理する管理者とが連携して所定の業務を行う場合などである。
【００２４】
撮影装置および端末装置は、ユーザが所持する携帯端末（ユーザ端末）であってもよい。この場合、ユーザ端末は例えば携帯電話、ポータブルＰＣ、タブレット端末またはスマートフォン等である。この場合、ユーザは、ユーザ端末で自身の顔画像を撮影する。ユーザ端末は、通行許可装置１０に画像データを供給する。そして通行許可装置１０は、ユーザ端末から供給される画像データを受け取り、認証が成功すると、ユーザの通行を許可するか否かを判定し、判定の結果をユーザ端末に出力する。また同様に、上記撮影装置または端末装置のいずれか一方が、ユーザ端末であってもよい。
【００２５】
次に、図２を参照して通行許可装置１０が行う処理について説明する。図２は、実施形態１に係る通行許可装置１０が行う通行許可方法を示すフローチャートである。
【００２６】
まず、通行許可装置１０は、ネットワークを介して、撮影装置から画像データを取得する（ステップＳ１１）。この場合、通行許可装置１０は、撮影装置に画像データを送信することを要求してもよいし、所定期間ごとに撮影装置から画像データが送信されるのを受け付けてもよい。
【００２７】
次に、通行許可装置１０は、認証装置に顔認証を行わせる（ステップＳ１２）。より具体的には、通行許可装置１０は、撮影装置から受け取った画像データを、認証装置に供給するとともに、認証装置に対して認証を行うことを要求する。認証装置は、複数のユーザの識別情報と顔特徴情報とを紐付けて記憶している。認証装置は、例えば画像データに含まれるユーザの顔画像から所定の特徴量を抽出し、抽出した特徴量と、ユーザの識別情報とを紐付ける。また認証装置は、認証に成功した場合に、受け取った画像データに紐付いたユーザの識別情報を通行許可装置１０に供給する。
【００２８】
次に、通行許可装置１０は、認証が成功したか否かを判定する（ステップＳ１３）。認証が成功したか否かは、例えば、認証装置から送られる信号により判定する。例えば、認証を行うための要求信号を送信した後の所定期間内に、認証装置から認証が成功した旨の信号を取得しない場合、通行許可装置１０は、認証が成功したと判定しない（ステップＳ１３：ＮＯ）。この場合、通行許可装置１０は処理を終了する。
【００２９】
一方、例えば、認証を行うための要求信号を送信した後の所定期間内に、認証装置から認証が成功した旨の信号を取得した場合、通行許可装置１０は、認証が成功したと判定する（ステップＳ１３：ＹＥＳ）。この場合、通行許可装置１０は、成功した認証にかかるユーザの証明情報を記憶装置から取得する（ステップＳ１４）。
【００３０】
次に、通行許可装置１０は、取得した証明情報から認証にかかるユーザの通行を許可するか否かを判定する（ステップS１５）。認証にかかるユーザの通行を許可すると判定する場合（ステップS１５：YES）、通行許可装置１０は、ユーザの通行を許可することを示す判定結果（許可通知）を端末装置に出力する（ステップS１６）。そして通行許可装置１０は、判定結果を出力した後に処理を終了する。
【００３１】
一方、認証にかかるユーザの通行を許可すると判定しない場合（ステップS１５：NO）、通行許可装置１０は、ユーザの通行を許可しないことを示す判定結果（不許可通知）を端末装置に出力する（ステップS１７）。そして通行許可装置１０は、判定結果を出力した後に処理を終了する。
【００３２】
以上、実施形態１にかかる通行許可装置１０について説明した。なお、上述の処理に含まれないが、通行許可装置１０は、顔認証に成功したユーザの証明情報を所定の管理装置（不図示）に供給してもよい。所定の管理装置は、ユーザの証明情報を利用して防疫策を講じる管理機関等が有するものである。ここで管理機関等とは、例えばインフラストラクチャを運営する公共機関、自治体等の政府機関またはユーザを従業者として使用する使用者等であって、ユーザの行動を管理ないし監視する権限を有する者である。
【００３３】
通行許可装置１０から情報の提供を受けた管理機関等は、通行許可装置１０から提供されたユーザの証明情報に含まれる、ユーザの顔写真、抗体証明、ワクチン接種証明、陰性証明、行動計画情報またはユーザの連絡先等を取得しうる。あるいは管理機関等は、通行許可装置１０から受け取った証明情報に含まれるユーザの認証情報と、管理機関等が有しているユーザの属性情報とを紐付けることができるものであってもよい。
【００３４】
上記構成により、管理機関等は、通行許可装置１０から提供されたユーザの連絡先（電話番号、電子メールアドレスやソーシャルネットワークサービスアカウント等）からユーザに連絡を取ることができる。これにより、例えば一時的にユーザと接触した可能性がある者が感染症を発症した場合等には、ユーザに通知ないし連絡をすることができる。また管理機関等は、防疫策の一環として、通行許可装置１０から提供されたユーザの行動計画や陰性証明からユーザの行動を制限するための活動を行うことができる。例えば、ユーザの行動計画に含まれる日時および場所に感染症の罹患者ないし感染者が存在していたことが判明した場合には、ユーザが濃厚接触者となった可能性がある。そこで管理機関等は、ユーザに対して行動の抑制や感染症の検査の実施等について提言できる。あるいは、管理機関等がユーザの実際の行動が、行動計画と一致しているか否かを照会できる場合において、ユーザの実際の行動と行動計画とが異なる場合に、管理機関等は、ユーザに対して行動の抑制をするための警告を行うことができる。なお、管理機関等がユーザの実際の行動を照会できる場合とは、例えばユーザの位置情報を管理機関等が捕捉できる場合や、ユーザが所定の日時に通過するチェックポイント等の情報を取得できる場合等である。ここで、「ユーザの実際の行動と行動計画とが異なる場合」は、ユーザの行動が捕捉できなくなった場合も含まれる。
【００３５】
尚、通行許可装置１０は、図示しない構成としてプロセッサ及び記憶装置を有するものである。通行許可装置１０が有する記憶装置は、フラッシュメモリやＳＳＤ（Solid State Drive）などの不揮発性メモリを含む記憶装置を含む。この場合に、通行許可装置１０が有する記憶装置は、証明情報を記憶するものであって、成功した顔認証にかかるユーザの証明情報をかかる記憶装置から読み取ってもよい。
【００３６】
通行許可装置１０が有する記憶装置には、本実施形態に係る通行許可方法を実行するためのコンピュータプログラム（以降、単にプログラムとも称する）が記憶されている。またプロセッサは、記憶装置からコンピュータプログラムをメモリへ読み込ませ、当該プログラムを実行する。
【００３７】
通行許可装置１０が有する各構成は、それぞれが専用のハードウェアで実現されていてもよい。また、各構成要素の一部又は全部は、汎用または専用の回路（circuitry）、プロセッサ等やこれらの組合せによって実現されてもよい。これらは、単一のチップによって構成されてもよいし、バスを介して接続される複数のチップによって構成されてもよい。各装置の各構成要素の一部又は全部は、上述した回路等とプログラムとの組合せによって実現されてもよい。また、プロセッサとして、ＣＰＵ（Central Processing Unit）、ＧＰＵ（Graphics Processing Unit）、ＦＰＧＡ（field-programmable gate array）等を用いることができる。
【００３８】
また、通行許可装置１０の各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントサーバシステム、クラウドコンピューティングシステム等、各々が通信ネットワークを介して接続される形態として実現されてもよい。また、通行許可装置１０の機能がＳａａＳ（Software as a Service）形式で提供されてもよい。
【００３９】
上述の通行許可装置１０は、ユーザの顔認証を行うことで、ユーザの通行許可に関する判定結果を端末装置に出力する。そのため、所定の施設を利用するユーザは、かかる施設の機器やスタッフ等に接触することなく、通行の許可に関する判定を受けることができる。一方、通行許可装置１０を利用する施設は、感染拡大のリスクを抑えつつ、ユーザの通行許可を判定できる。すなわち本実施形態によれば、認証対象者との接触を抑制しつつ所望の通行許可の判定を行うための通行許可装置、システム、方法及びプログラムを提供することができる。
【００４０】
＜実施形態２＞
次に、実施形態２について説明する。実施形態２にかかる通行許可装置１０は、抗体証明またはワクチン接種証明にかかる有効期間情報を併せて取得する点が実施形態１にかかる通行許可装置と異なる。
【００４１】
なお本実施形態にかかる通行許可装置１０機能構成は、図１に示した実施形態１にかかるブロック図と同様である。ただし、証明情報取得部１１２、判定部１１３および出力部１１４は、以下に示す機能をさらに有する。
【００４２】
証明情報取得部１１２は、抗体証明またはワクチン接種証明にかかる有効期間情報を併せて取得する。証明情報取得部１１２は取得した有効期間情報を判定部１１３に供給する。判定部１１３は、取得した証明情報からユーザの通行を許可するか否かを判定する。このとき判定部１１３は、有効期間情報を考慮してユーザの通行を許可するか否かを判定する。また判定部１１３は、有効期間が予め設定された期間より短い場合に、有効期間に関する警告を通知することを判定する。そして出力部１１４は、判定の結果とともに、警告を端末装置に出力する。このとき出力部１１４は、警告として、警告にかかるワクチン接種を促す警告を出力してもよい。
【００４３】
図３を参照して本実施形態にかかる通行許可装置１０が行う処理について説明する。図３は、実施形態２に係る通行許可装置１０が行う通行許可方法を示すフローチャートである。図３に示すフローチャートは、ステップＳ１３から後の処理が、図２に示すフローチャートと異なる。
【００４４】
ステップＳ１３において認証が成功したと判定する（ステップＳ１３：ＹＥＳ）場合、通行許可装置１０は、成功した認証にかかるユーザの証明情報を記憶装置から取得する（ステップＳ２１）。このとき証明情報には有効期間情報が含まれる。有効期間情報は、例えば、ユーザが有している抗体またはユーザが受けたワクチン接種の有効期間がいつまでかを示す情報である。ユーザの抗体やワクチン接種の有効期間は、個別の事情により設定される。個別の事情とは例えば、ユーザの年齢、抗体やワクチンにかかるウイルスの種類、ワクチンの種類等である。ユーザは医療機関等において抗体検査やワクチン接種を受ける際に、有効期間を設定され得る。
【００４５】
次に通行許可装置１０は、取得した証明情報から認証にかかるユーザの通行を許可するか否かを判定する（ステップS２２）。ここで通行許可装置１０は、証明情報に所定の抗体を有しているという情報が含まれるか否かを判定するとともに、かかる抗体の有効期間が経過しているか否かを判定する。
【００４６】
例えば、証明情報に所定の抗体証明もしくは所定のワクチン接種証明が含まれ、且つ、抗体もしくはワクチンの有効期間が経過していない場合に、通行許可装置１０は、ユーザの通行を許可すると判定する。例えば、有効期間が１２カ月の抗体を、ユーザが９か月前に有していたとする。この場合、図に示すフローチャートを実行している時点におけるユーザが有している抗体の有効期間は３カ月である。そのため通行許可装置１０は、ユーザの通行を許可すると判定する。この場合（ステップS２２：YES）、通行許可装置１０は、ステップＳ２３に進む。
【００４７】
一方、証明情報に所定の抗体証明もしくは所定のワクチン接種証明が含まれない場合、または、抗体もしくはワクチンの有効期間が経過している場合に、通行許可装置１０は、ユーザの通行を許可すると判定しない。例えば、有効期間が１２カ月の抗体を、ユーザが１３か月前に有していたとする。この場合、図に示すフローチャートを実行している時点における抗体の有効期間はすでに経過している。そのため通行許可装置１０は、ユーザの通行を許可すると判定しない。この場合（ステップS２２：NO）、通行許可装置１０は、ユーザの通行を許可しないことを示す判定結果（不許可通知）を端末装置に出力する（ステップS２６）。そして通行許可装置１０は、判定結果を出力した後に処理を終了する。
【００４８】
ステップＳ２３において、通行許可装置１０は、有効期間が予め設定された警告期間内か否かを判定する（ステップＳ２３）。ここで警告期間とは、有効期間より短い期間であって、ユーザに対して有効期間が経過することを警告するために設定された期間である。証明情報に含まれる有効期間が警告期間内と判定する場合（ステップＳ２３：ＹＥＳ）、通行許可装置１０は、許可通知に加えて、警告を端末装置に出力（ステップＳ２４）して処理を終了する。このとき通行許可装置１０は、例えば、有効期間の経過が間近に迫っていることを通知する警告を出力する。また通行許可装置１０は、例えば新たにワクチン接種を受けることを促すメッセージを出力してもよい。新たにワクチン接種を受けることを促す場合、通行許可装置１０は、上記警告に関連するワクチンの種類を提示してもよい。また通行許可装置１０は、ユーザのワクチン接種に関連するプロファイル情報からユーザが接種する１種類または複数種類のワクチンを提案してもよい。ユーザのワクチン接種に関連するプロファイル情報は、例えばユーザのワクチン接種の履歴、ユーザの年齢、性別、国籍等が含まれ得る。ユーザのワクチン接種に関連するプロファイル情報は、証明情報に予め含まれていてもよい。なお、上記警告は、実施形態１で説明した管理機関等に併せて通知されてもよい。一方、証明情報に含まれる有効期間が警告期間内と判定しない場合（ステップＳ２３：ＮＯ）、通行許可装置１０は、許可通知を出力（ステップＳ２５）して処理を終了する。
【００４９】
以上、実施形態２について説明した。実施形態２によれば、認証対象者との接触を抑制しつつ所望の通行許可の判定を行うための通行許可装置、システム、方法及びプログラムを提供することができる。さらに実施形態２によれば、抗体証明やワクチン接種証明の有効期間が迫っていることを警告し、感染症の感染拡大を抑制する通行許可装置、システム、方法及びプログラムを提供できる。
【００５０】
＜実施形態３＞
次に、実施形態３について説明する。実施形態３にかかる通行許可装置は、条件設定部および記憶部をさらに有する点が、上述の通行許可装置と異なる。図４に示す通行許可装置２０は、主な構成として、画像データ取得部１１０、認証制御部１１１、証明情報取得部１１２、判定部１１３、出力部１１４、条件設定部１１５および記憶部１２０を有する。
【００５１】
条件設定部１１５は、端末装置からユーザに対する通行許可判定の条件を受け付ける。例えば、通行許可装置２０を出国管理施設において利用する場合に、条件設定部１１５は、ユーザの目的地に応じて通行許可判定の条件を設定することを受け付ける。判定部１１３は、上述のように設定された条件と証明情報に基づいて、ユーザの通行を許可するか否かを判定する。
【００５２】
ここで、条件設定部１１５が受け付ける条件の例について説明する。例えば、国Ａは、国Ａに入国する外国人に対して、抗体Ａの有効期間が３カ月以上であることを要求しているとする。このような場合に、条件設定部１１５は、国Ａに向かうことを目的として出国するユーザに対しては、抗体Ａの有効期間が３カ月以上であることが通行許可判定の条件であると設定できる。また例えば、国Ｂは、国Ｂに入国する外国人に対して、ワクチンＸの接種証明を要求しているとする。このような場合に、条件設定部１１５は、国Ｂに向かうことを目的として出国するユーザに対しては、ワクチンＸの接種証明を有していることが通行許可判定の条件であると設定できる。
【００５３】
記憶部１２０は、不揮発性メモリを含む記憶装置であって、少なくともユーザの証明情報１２１を記憶している。証明情報１２１は、ユーザの識別情報に紐づけられていることに加えて、証明情報のそれぞれに付随するインデックス情報が含まれていてもよい。インデックス情報は、複数の証明情報を層別、抽出または検索可能にするための付随情報である。
【００５４】
図５は、実施形態３に係る通行許可方法を示すフローチャートである。図５に示すフローチャートは、ステップＳ１１の前にステップＳ３１を有している点が、実施形態１にかかる図２のフローチャートと異なる。
【００５５】
図５に示すフローチャートにおいて、通行許可装置２０の条件設定部１１５は、判定条件を受け付けて、受け付けた判定条件を設定する（ステップＳ３１）。条件設定部１１５が判定条件を設定すると、通行許可装置２０は、ステップＳ１１に進み、撮影装置から画像データを取得する。以降の処理は、図２に示すフローチャートと同様である。ただし、ステップＳ１５においてユーザの通行を許可するか否かを判定する際に、ステップＳ３１において設定した判定条件を用いる。なお、判定条件の設定において、条件設定部１１５は、例えば「ユーザの国籍に応じた判定を行う」という条件を受け付けてもよい。この場合、通行許可装置２０は、証明情報にユーザの国籍を含む。また通行許可装置２０は、ユーザの国籍ごとの判定条件を記憶する。これにより、通行許可装置２０は、ユーザの顔認証が成功した場合、ユーザの国籍に関する情報を取得し、取得したユーザの国籍にかかる国の判定条件を設定できる。この場合、通行許可装置２０が記憶する国籍ごとの判定条件は、予め記憶したものであってもよいし、例えばネットワークを介して接続したコンピュータ（不図示）から取得するものであってもよい。
【００５６】
以上、実施の形態３について説明した。なお、図５に示すフローチャートのステップＳ３１は、ユーザの顔認証および許可の判定の都度に行う必要はない。例えば通行許可装置２０は、一旦設定された条件を、更新されるまでは維持してもよい。
【００５７】
実施形態３によれば、認証対象者との接触を抑制しつつ所望の通行許可の判定を行うための通行許可装置、システム、方法及びプログラムを提供することができる。さらに実施形態３によれば、個別の事情に応じて通行許可を判定する通行許可装置、システム、方法及びプログラムを提供できる。
【００５８】
＜実施形態４＞
次に、実施形態４について説明する。実施形態４は、上述した実施形態１にかかる通行許可装置１０を含むシステムの例である。図６は、実施形態４に係る通行許可システム７００の構成を示すブロック図である。通行許可システム７００は、通行許可装置１０、認証装置２００、端末装置３００及びユーザ端末４００を有する。通行許可装置１０、認証装置２００、端末装置３００及びユーザ端末４００のそれぞれは、ネットワーク５００を介して接続されている。なお、本実施形態においては、通行許可装置１０は記憶部１２０を含むものとする。また、実施形態１と重複する説明については適宜省略する。
【００５９】
通行許可装置１０は、ユーザＵ１が撮影された撮影画像についての認証が成功した場合に、ユーザＵ１の証明情報からユーザＵ１の通行許可を判定し、判定結果を端末装置３００に出力するための情報処理装置である。通行許可装置１０は、例えば、コンピュータにより実現されるサーバ装置である。
【００６０】
認証装置２００は、顔認証を行う装置である。認証装置２００は、顔特徴ＤＢ２１０を有する。顔特徴ＤＢ２１０は、ユーザＩＤと当該ユーザの顔特徴情報とを対応付けて記憶する顔特徴データベースである。尚、顔特徴ＤＢ２１０は、顔特徴情報記憶部の一例である。
【００６１】
端末装置３００は、実施形態１において説明した撮影装置（撮影装置３１０）を含む情報処理装置である。端末装置３００は、例えば通行許可を要する所定の施設に設置される。端末装置３００は、所定の施設を訪れたユーザＵ１の顔を撮影し、撮影した撮影画像を含めた顔認証要求を通行許可装置１０へ送信する。また端末装置３００は、かかる顔認証が成功した場合に、ユーザＵ１の通行許可に関する判定結果を受信する。
ユーザＵ１の通行許可に関する判定結果を受信した場合、端末装置３００は、判定結果を表示する。なお、端末装置３００は、判定結果に応じてゲートを開閉する駆動装置を含んでもよい。例えば、ユーザＵ１に対して通行を許可する判定結果を受信した場合、端末装置３００は、端末装置３００が有する駆動装置にゲートを開かせてもよい。また例えば、ユーザＵ１に対して通行を許可する判定結果を受信しない場合、端末装置３００は、端末装置３００が有する駆動装置にゲートを閉じさせてもよい。なお、端末装置３００は所定の施設に複数配置されていてもよい。
【００６２】
ユーザ端末４００は、所定の施設を通行しようとするユーザＵ１が操作する情報処置装置である。ユーザ端末４００は、例えば、スマートフォン、タブレット、ＰＣ等の通信端末である。ユーザ端末は、端末装置３００と同様の処理又はその一部を行ってもよい。
【００６３】
次に、図７を参照して、認証装置２００の構成について詳細に説明する。図７は、認証装置２００の構成を示すブロック図である。認証装置２００は、顔特徴ＤＢ２１０、顔検出部２２０、特徴点抽出部２３０、登録部２４０及び認証部２５０を有する。
【００６４】
顔特徴ＤＢ２１０は、ユーザＩＤと当該ユーザの顔特徴情報とを対応付けて記憶する顔特徴データベースである。顔検出部２２０は、撮影画像が含む顔領域を検出し、特徴点抽出部２３０に出力する。特徴点抽出部２３０は、顔検出部２２０が検出した顔領域から特徴点を抽出し、登録部２４０に顔特徴情報を出力する。顔特徴情報は、抽出した特徴点の集合である。
【００６５】
登録部２４０は、顔特徴情報の登録に際して、ユーザＩＤを新規に発行する。登録部２４０は、発行したユーザＩＤと、登録画像から抽出した顔特徴情報と、を対応付けて顔特徴ＤＢ２１０に登録する。認証部２５０は、顔画像から抽出された顔特徴情報と、顔特徴ＤＢ２１０内の顔特徴情報と、の照合を行う。認証部２５０は、顔特徴情報が一致している場合、顔認証が成功したと判断し、顔特徴情報が不一致の場合、顔認証が失敗したと判断する。認証部２５０は、顔認証の成否を通行許可装置１０に返信する。顔特徴情報の一致の有無は、認証の成否に対応する。また、認証部２５０は、顔認証に成功した場合、当該成功した顔特徴情報に対応付けられたユーザＩＤを特定し、特定されたユーザＩＤと認証成功の旨とを含めた認証結果を通行許可装置１０に返信する。
【００６６】
図８を参照して、顔特徴ＤＢ２１０にユーザＩＤ及び顔特徴情報を登録する際における認証装置２００の動作を説明する。図８は、顔特徴情報登録処理の流れを示すフローチャートである。
【００６７】
顔特徴情報を登録する際には、顔情報登録端末（不図示）が、ユーザの顔を含む画像を登録用画像として撮影し、認証装置２００に対してネットワーク５００を介して顔特徴情報登録要求を行う。顔情報登録端末は、例えば、パーソナルコンピュータ、スマートフォン又はタブレット端末等の情報処理装置である。顔情報登録端末は、例えばユーザ端末４００であってもよい。顔特徴情報登録要求は、登録用画像を含む。まず、認証装置２００は、顔情報登録端末からネットワーク５００を介して顔特徴情報登録要求に含まれる登録用画像を取得する（ステップＳ３０１）。
【００６８】
次に、顔検出部２２０は、登録用画像が含む顔領域を検出し（ステップＳ３０２）、検出した顔領域を特徴点抽出部２３０に出力する。次に、特徴点抽出部２３０は、顔領域から特徴点を抽出し、登録部２４０に顔特徴情報を出力する（ステップＳ３０３）。次に、登録部２４０は、出力された顔特徴情報に対応するユーザＩＤを発行し、当該ユーザＩＤと顔特徴情報とを対応付けて顔特徴ＤＢ２１０に登録する（ステップＳ３０４）。
【００６９】
図９を参照して、顔認証を行う際における認証装置２００の動作を説明する。図９は、顔認証処理の流れを示すフローチャートである。顔認証を行う際には、端末装置３００は、ユーザの顔を含む画像を認証用画像として撮影し、通行許可装置１０に対してネットワーク５００を介して顔認証要求を行う。顔認証要求は、認証用画像を含む。まず、通行許可装置１０は、認証用画像から抽出した顔領域又は顔特徴情報を認証装置２００に送信する。特徴点抽出部２３０は、受信した顔領域から顔特徴情報を抽出し、又は顔特徴情報を受信することによって、顔特徴情報を取得する（ステップＳ４０１）。
【００７０】
次に、認証部２５０は、取得した顔特徴情報を顔特徴ＤＢ２１０と照合する（ステップＳ４０２）。顔特徴情報が一致した場合（ステップＳ４０３：ＹＥＳ）、認証部２５０は、顔特徴情報が一致したユーザのユーザＩＤを特定し（ステップＳ４０４）、顔認証に成功した旨と特定したユーザＩＤとを通行許可装置１０に返信する（ステップＳ４０５）。一致する顔特徴情報がなかった場合（ステップＳ４０３：ＮＯ）、認証部２５０は、顔認証に失敗した旨を通行許可装置１０に返信する（ステップＳ４０６）。認証装置２００は、顔特徴情報に基づいてユーザの年代及び性別を推定することができる。ステップＳ４０６では、認証部２５０は、推定した年代及び性別を含めて通行許可装置１０に返信するものとする。
【００７１】
次に、図１０を参照して、端末装置３００の構成について詳細に説明する。端末装置３００は、ハードウェア構成として、カメラ等の撮影装置と、表示装置と、コンピュータとを有する。端末装置３００は、顔認証による顔認証要求を行う装置である。端末装置３００は、例えば、顔認証による入場制御を行う端末、顔認証による決済を行う端末、顔認証に応じて情報を提示するデジタルサイネージ等が挙げられるが、これらに限定されない。
【００７２】
図１０は、端末装置３００の構成を示すブロック図である。端末装置３００は、撮影装置３１０、記憶部３２０、通信部３３０、表示部３４０及び制御部３５０を有する。撮影装置３１０は、画像を撮影する撮影装置である。
【００７３】
記憶部３２０は、端末装置３００の各機能を実現するためのプログラムが格納される記憶装置である。通信部３３０は、ネットワーク５００との通信インタフェースである。表示部３４０は、ユーザに対して顔認証結果及び通行許可情報等を表示する表示装置である。制御部３５０は、端末装置３００が有するハードウェアの制御を行う。制御部３５０は、撮影部３５２、登録部３５３、認証部３５４及び決済部３５５を有する。
【００７４】
撮影部３５２は、撮影装置３１０に対して撮影要求を行う。撮影装置３１０は、ユーザの顔を含む画像を撮影する。撮影装置３１０が撮影した画像は、登録用画像及び認証用画像として使用される。登録部３５３は、顔特徴情報登録要求を、ネットワーク５００を介して認証装置２００に送信する。顔特徴情報登録要求は、撮影装置３１０が撮影した登録用画像を含む。認証部３５４は、顔認証要求を、ネットワーク５００を介して通行許可装置１０に送信する。顔認証要求は、撮影装置３１０が撮影した認証用画像を含む。認証部３５４は、通行許可装置１０から顔認証の成否を受信し、その結果を表示部３４０に表示させる。
【００７５】
決済部３５５は、顔認証成功時に決済処理を実行する。なお、制御部３５０は、決済部３５５に代えて図示しない記録部を備えていてもよい。記録部は、顔認証成功時に端末装置３００が設置されている施設への各ユーザの入退場を記録してもよい。
【００７６】
次に、図１１を参照して、ユーザ端末４００の構成について詳細に説明する。図１１は、ユーザ端末４００の構成を示すブロック図である。ユーザ端末４００は、撮影装置４１０、記憶部４２０、通信部４３０、表示部４４０及び制御部４５０を有する。制御部４５０は、撮影部４５２、登録部４５３、認証部４５４及び決済部４５５を有する。ユーザ端末４００が備える各構成の機能は、端末装置３００が備える各構成と同様であるから、説明を省略する。
【００７７】
次に、図１２を参照して、通行許可装置１０の構成について詳細に説明する。図１２は、通行許可装置１０の構成を示すブロック図である。通行許可装置１０は、制御部１００、記憶部１２０、バッファメモリ１３０及び通信部１４０を有する。
【００７８】
記憶部１２０は、証明情報１２３およびプログラム１２４を少なくとも記憶する不揮発性の記憶装置である。証明情報１２３は、各ユーザのユーザＩＤと各ユーザのそれぞれに紐付けられた証明情報の集合である。ユーザＩＤは、ユーザを識別可能な識別情報であり、例えば、氏名、電話番号、メールアドレス、又は任意の識別番号等である。各ユーザＩＤ１２３ｂ、１２３ｃには、証明情報１２３ｄ、１２３ｅが対応付けられている。つまり、記憶部１２０には、複数のユーザの識別情報と、各ユーザの証明情報と、が紐付けられている。証明情報１２３ｄ、１２３ｅは、例えば、上述の抗体証明またはワクチン接種証明等であるが、これらに限定されない。証明情報１２３ｄ、１２３ｅは、性別、年齢、趣味又は身体情報等を含んでもよい。プログラム１２４は、本実施形態に係る通行許可処理が実装されたコンピュータプログラムである。
【００７９】
バッファメモリ１３０は、制御部１００の処理内容を一時的に記憶する記憶領域であり、例えばＲＡＭ（Random Access Memory）等の揮発性記憶装置である。通信部１４０は、通行許可装置１０の外部との通信を行うインタフェースである。
【００８０】
制御部１００は、登録部１０１、領域検出部１０３、画像データ取得部１１０、認証制御部１１１、証明情報取得部１１２、判定部１１３および出力部１１４を有する。制御部１００は、通行許可装置１０の動作を制御する制御装置であり、例えば、ＣＰＵ等のプロセッサである。制御部１００は、記憶部１２０からプログラム１２４をバッファメモリ１３０へ読み込ませ、実行する。これにより、制御部１００は、登録部１０１、領域検出部１０３、画像データ取得部１１０、認証制御部１１１、証明情報取得部１１２、判定部１１３および出力部１１４としての機能を実現する。
【００８１】
登録部１０１は、端末装置３００又はユーザ端末４００からネットワーク５００を介して、登録要求を受信する。登録部１０１は、受信した登録要求に含まれるユーザＩＤに対応するユーザＩＤを発行する。また登録部１０１は、発行したユーザＩＤに、複数の証明情報を対応付けて証明情報１２３を生成し、生成した証明情報１２３を記憶部１２０に登録する。
【００８２】
画像データ取得部１１０は、撮影装置から画像データを取得する。領域検出部１０３は、画像データから顔領域を検出する。例えば、領域検出部１０３は、画像データを解析してユーザの顔領域を認識する。認証制御部１１１は、画像データに顔領域が特定された場合、認証装置２００に対して、特定された各顔領域について顔特徴情報を用いた顔認証を行わせる。
【００８３】
図１３を参照して、端末装置３００が表示する画面について説明する。図１３は、端末装置に表示される画面の例を示す図である。図１３には、端末装置３００が表示する画面３４１が示されている。画面３４１は、管理者に関する情報表示３４２、ユーザＵ１の顔認証にかかる画像３４３、顔認証の結果表示３４４および判定結果表示３４５を含む。
【００８４】
図１３に示す例は端末装置３００の管理者がＡＢＣ空港という空港施設である。管理者であるＡＢＣ空港は、通行許可装置１０を用いて、出国ゲートの通行管理を行っている。このような状況において、ＡＢＣ空港は、旅客であるユーザＵ１の顔を撮影装置により撮影し、判定結果の要求をする操作を行った。これにより、通行許可装置１０は、認証装置２００に認証を行わせた。また通行許可装置１０は顔認証が成功したため、通行許可装置１０は、ユーザＵ１の通行許可に対する判定結果を端末装置３００に送信した。
【００８５】
判定結果表示３４５には、ユーザＵ１の通行許可に対する判定結果として許可を意味する「通行ＯＫ」という文字が表示されている。また判定結果の下部には、警告表示が併せて表示されている。警告表示には、「ウイルスＸの抗体証明の有効期間が３０日未満です。予防接種を受けることを推奨します。」とのメッセージが含まれる。なお、図１３に示された表示は一例であって、ここに示された情報に加えて、またはここに示された情報に代えて、その他の情報が表示されてもよい。例えばユーザＵ１の通行許可の判定において予め判定条件が設定されている場合には、設定されている判定条件を表示してもよい。またユーザＵ１の通行が不許可の場合には、不許可となる理由を表示してもよい。
【００８６】
以上、実施形態４について説明したが、実施形態４にかかる通行許可システム７００は、実施形態１にかかる通行許可装置１０に代えて、実施形態２または実施形態３にかかる通行許可装置を構成としてもよい。また通行許可システム７００は、顔認証と併せてユーザＵ１の体表温度を検出し、検出した体表温度に応じて上記判定条件を設定するものであってもよい。例えば通行許可装置１０が出力する判定結果がユーザＵ１の通行を許可する内容であったとしても、通行許可システム７００は、検出した体表温度が所定の閾値より高い場合には、通行を許可しないという機能を有していてもよい。
【００８７】
以上のように、実施形態４によれば、認証対象者との接触を抑制しつつ所望の通行許可の判定を行うための通行許可装置、システム、方法及びプログラムを提供することができる。
【００８８】
なお、上述したプログラムは、様々なタイプの非一時的なコンピュータ可読媒体を用いて格納され、コンピュータに供給することができる。非一時的なコンピュータ可読媒体は、様々なタイプの実体のある記録媒体を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８９】
なお、本発明は上記実施形態に限られたものではなく、趣旨を逸脱しない範囲で適宜変更することが可能である。
【００９０】
上記の実施形態の一部又は全部は、以下の付記のようにも記載され得るが、以下には限られない。
（付記１）
所定の撮影装置により撮影されたユーザの顔画像が含まれる画像データを取得する画像データ取得手段と、
前記ユーザの顔特徴情報を記憶した認証装置に対して、前記画像データについて顔認証を行わせる認証制御手段と、
前記顔認証に成功した場合、前記ユーザの防疫策に関する証明情報を記憶する記憶装置から前記顔認証にかかる前記ユーザの前記証明情報を取得する証明情報取得手段と、
前記ユーザに紐付けられた前記証明情報に基づいて前記ユーザの通行を許可するか否かを判定する判定手段と、
前記判定の結果を前記撮影装置に対応する所定の端末装置に出力する出力手段と、を備える
通行許可装置。
（付記２）
前記証明情報取得手段は、前記証明情報に含まれる抗体証明またはワクチン接種証明にかかる有効期間の情報である有効期間情報を併せて取得し
前記判定手段は、前記有効期間情報に基づいて前記ユーザの通行を許可するか否かを判定する
付記１に記載の通行許可装置。
（付記３）
前記判定手段は、前記有効期間が予め設定された期間より短い場合に、前記有効期間に関する警告を通知することを判定し、
前記出力手段は、前記判定の結果とともに、前記警告を出力する
付記２に記載の通行許可装置。
（付記４）
前記出力手段は、前記警告として、前記警告にかかるワクチン接種を促す警告を出力する
付記３に記載の通行許可装置。
（付記５）
前記端末装置から前記判定の条件を受け付ける条件設定部をさらに備え、
前記判定手段は、設定された前記条件と前記証明情報に基づいて前記ユーザの通行を許可するか否かを判定する
付記１〜４のいずれか一項に記載の通行許可装置。
（付記６）
前記証明情報取得手段は、医療機関が生成した前記証明情報を取得する
付記１〜５のいずれか一項に記載の通行許可装置。
（付記７）
前記証明情報取得手段は、前記証明情報に加えて前記ユーザの行動履歴に関する情報である行動履歴情報を併せて取得し、
前記判定手段は、前記行動履歴と前記証明情報とに基づいて前記判定をする
付記１〜６のいずれか一項に記載の通行許可装置。
（付記８）
付記１〜７のいずれか一項に記載の通行許可装置と、
前記ユーザと前記ユーザの証明情報とを紐付けて記憶する記憶装置と、
を備える
通行許可システム。
（付記９）
付記１〜７のいずれか一項に記載の通行許可装置と、
前記通行許可装置から前記画像データを受け取って前記顔認証を行う前記認証装置と、を備える
通行許可システム。
（付記１０）
前記出力手段から前記判定の結果を受け取り、前記判定の結果に応じて前記ユーザの通行路に配置されたゲートを開閉するゲート開閉装置をさらに備える
付記８または９に記載の通行許可システム。
（付記１１）
コンピュータが、
所定の撮影装置により撮影されたユーザの顔画像が含まれる画像データを取得し、
前記ユーザの顔特徴情報を記憶した認証装置に対して、前記画像データについて顔認証を行わせ、
前記顔認証に成功した場合、前記ユーザの防疫策に関する証明情報を記憶する記憶装置から前記顔認証にかかる前記ユーザの前記証明情報を取得し、
前記ユーザに紐付けられた前記証明情報に基づいて前記ユーザの通行を許可するか否かを判定し、
前記判定の結果を出力する、
通行許可方法。
（付記１２）
所定の撮影装置により撮影されたユーザの顔画像が含まれる画像データを取得する処理と、
前記ユーザの顔特徴情報を記憶した認証装置に対して、前記画像データについて顔認証を行わせる処理と、
前記顔認証に成功した場合、前記ユーザの防疫策に関する証明情報を記憶する記憶装置から前記顔認証にかかる前記ユーザの前記証明情報を取得する処理と、
前記ユーザに紐付けられた前記証明情報に基づいて前記ユーザの通行を許可するか否かを判定する処理と、
前記判定の結果を出力する処理と、
を、コンピュータに実行させる通行許可プログラムが格納された非一時的なコンピュータ可読媒体。
【００９１】
なお、本発明は上記実施形態に限られたものではなく、趣旨を逸脱しない範囲で適宜変更することが可能である。
【符号の説明】
【００９２】
１０  通行許可装置
２０  通行許可装置
１１０  画像データ取得部
１１１  認証制御部
１１２  証明情報取得部
１１３  判定部
１１４  出力部
１１５  条件設定部
１２０  記憶部
１２１  証明情報
１３０  バッファメモリ
１４０  通信部
２００  認証装置
２１０  顔特徴ＤＢ
２２０  顔検出部
２３０  特徴点抽出部
２４０  登録部
２５０  認証部
３００  端末装置
３１０  撮影装置
３２０  記憶部
３３０  通信部
３４０  表示部
３５０  制御部
４００  ユーザ端末
４１０  撮影装置
４２０  記憶部
４３０  通信部
４４０  表示部
４５０  制御部
５００  ネットワーク
７００  通行許可システム
【要約】
通行許可装置（１０）は、画像データ取得手段（１１０）、認証制御手段（１１１）、証明情報取得手段（１１２）、判定手段（１１３）および出力手段（１１４）を有している。画像データ取得手段（１１０）は、所定の撮影装置により撮影されたユーザの顔画像が含まれる画像データを取得する。認証制御手段（１１１）は、ユーザの顔特徴情報を記憶した認証装置に対して、画像データについて顔認証を行わせる。証明情報取得手段（１１２）は、顔認証に成功した場合、ユーザの防疫策に関する証明情報を記憶する記憶装置から顔認証にかかるユーザの証明情報を取得する。判定手段（１１３）は、ユーザに紐付けられた証明情報に基づいてユーザの通行を許可するか否かを判定する。出力手段（１１４）は、判定の結果を撮影装置に対応する所定の端末装置に出力する。【図１】
0006838689.tif 000002
【図２】
0006838689.tif 000003
【図３】
0006838689.tif 000004
【図４】
0006838689.tif 000005
【図５】
0006838689.tif 000006
【図６】
0006838689.tif 000007
【図７】
0006838689.tif 000008
【図８】
0006838689.tif 000009
【図９】
0006838689.tif 000010
【図１０】
0006838689.tif 000011
【図１１】
0006838689.tif 000012
【図１２】
0006838689.tif 000013
【図１３】
0006838689.tif 000014